(57)【要約】      （修正有）【課題】用紙の設置位置を任意に選択でき、且つ用紙のサイズ及び形状も制限されない用紙給送機構を提供する。【解決手段】用紙給送機構は、用紙給送経路１０と、用紙給送経路１０の一側に設置され、用紙給送経路１０を通過する原稿をスキャンするためのスキャナー２０と、用紙給送経路１０に関してスキャナー２０と反対側にスキャナー２０に対向して設置され、且つ用紙給送経路１０の幅を全てカバーする用紙給送ローラー１３と、用紙給送弾性片３０と、を備える。用紙給送弾性片３０は、固定端３１と、用紙給送経路１０に設置されると共に用紙給送ローラー１３に当接される自由端３２と、固定端３１と自由端３２との間を連結する延伸部３３と、を含み、且つ用紙給送弾性片３０は用紙給送経路１０の幅を全てカバーする。【選択図】図２Ａ
0003221299.tif 000002
【実用新案登録請求の範囲】
【請求項１】
用紙給送経路と、
前記用紙給送経路の一側に設置され、前記用紙給送経路を通過する原稿をスキャンするためのスキャナーと、
前記用紙給送経路に関して前記スキャナーと反対側に前記スキャナーに対向して設置され、且つ前記用紙給送経路の幅を全てカバーする用紙給送ローラーと、
固定端と、前記用紙給送経路中に設置されると共に前記用紙給送ローラーに当接される自由端と、前記固定端と前記自由端との間を連結する延伸部と、を含み、前記用紙給送経路の幅を全てカバーする用紙給送弾性片と、
を備えることを特徴とする用紙給送機構。
【請求項２】
前記用紙給送弾性片は前記用紙給送経路の高さ方向に沿って可撓性を有することを特徴とする請求項１に記載の用紙給送機構。
【請求項３】
前記用紙給送弾性片の変形距離が２ｍｍに等しい場合、その変形領域は２０ｍｍ以下であることを特徴とする請求項１に記載の用紙給送機構。
【請求項４】
前記延伸部の厚さ／幅比は０．００１６以下であることを特徴とする請求項１に記載の用紙給送機構。
【請求項５】
前記自由端には複数のノッチが設けられ、前記ノッチは前記自由端の端面から前記延伸部に向けて切り込まれることを特徴とする請求項１に記載の用紙給送機構。
【請求項６】
前記延伸部には複数の開口部が設けられ、前記開口部は前記用紙給送経路の幅方向に沿って並設されることを特徴とする請求項１に記載の用紙給送機構。
【請求項７】
前記固定端は前記スキャナーに固定されると共に前記スキャナーの外表面に密接することを特徴とする請求項１に記載の用紙給送機構。
【請求項８】
前記延伸部の前記スキャナーに隣接する側に制振シートを更に備えることを特徴とする請求項１に記載の用紙給送機構。
【考案の詳細な説明】
【技術分野】
【０００１】
本考案は、用紙給送機構に関し、更に詳しくは、用紙の設置位置を任意に選択でき、且つ用紙のサイズ及び形状も制限されない用紙給送機構に関する。
【背景技術】
【０００２】
自動給紙型のスキャナーの多くはセットで設置される用紙給送ローラー４０及び受動ローラー４１を採用して用紙の給紙を行っている。スキャナーは受動ローラー４１により用紙に向けて垂直抗力がかけられることにより用紙と用紙給送ローラー４０との間に十分な摩擦力が発生し、用紙及び用紙給送ローラー４０が滑らないようにしている（図１Ａ参照）。
【０００３】
しかしながら、前述した従来の用紙給送ローラー４０及び受動ローラー４１の設計では、ローラー間にギャップ３５が存在し、用紙の設置位置が正しくなかったり、用紙がその大きさのために前記ギャップ３５の中に入り込んでしまうと給送力を失って給送エラーが発生した。
なお、給送エラーの発生を避けるため、他の従来の設計では、前記用紙給送ローラー４０の上流箇所に案内部材４２を設置し、前記案内部材４２により用紙が通過可能な領域を制限している（図１Ｂ参照）。しかしながら、使用者にとって、前述の従来の設計では用紙の設置位置及びサイズが制限されてしまい、不便であった。
【０００４】
さらに、他の従来の技術では、用紙給送ローラー４０及び受動ローラー４１の幅を広げることで、用紙給送ローラー４０及び受動ローラー４１が給紙経路の幅を全てカバー可能にしている。この設計によりローラー間のギャップを解消し、用紙はそのサイズ及び設置位置に係らず前記用紙給送ローラー４０がかける給送力を受けれるようにしている（図１Ｃ参照）。しかしながら、前述の従来の設計では、前記受動ローラー４１自身が占める空間のほか、受動ローラー４１を連結固定させるために別途構造（図示省略）が必要であり、スキャナー自身の体積及び製造コストが増加し、携帯型スキャナーへの応用が難しかった。
【考案の概要】
【考案が解決しようとする課題】
【０００５】
そこで、本考案者は上記の欠点が改善可能と考え、鋭意検討を重ねた結果、合理的な設計で上記の課題を効果的に改善する本考案の提案に到った。
【０００６】
かかる従来の実情に鑑みて、本考案は、携帯型スキャナーへの応用に適し、且つ使用者が用紙の設置位置を自由に選択可能な用紙給送機構を提供することを目的とする。
【課題を解決するための手段】
【０００７】
上記課題を解決するために、本考案のある態様の用紙給送機構は、
用紙給送経路と、
前記用紙給送経路の一側に設置され、前記用紙給送経路を通過する原稿をスキャンするためのスキャナーと、
前記用紙給送経路に関して前記スキャナーと反対側に前記スキャナーに対向して設置され、且つ前記用紙給送経路の幅を全てカバーする用紙給送ローラーと、
固定端と、前記用紙給送経路中に設置されると共に前記用紙給送ローラーに当接される自由端と、前記固定端と前記自由端との間を連結する延伸部と、を含み、前記用紙給送経路の幅を全てカバーする用紙給送弾性片と、を備える。
【０００８】
本考案の好適例において、前記用紙給送弾性片は前記用紙給送経路の高さ方向に沿って可撓性を有する。
【０００９】
本考案の好適例において、前記用紙給送弾性片の変形距離が２ｍｍに等しい場合、その変形領域は２０ｍｍ以下である。
【００１０】
本考案の好適例において、前記延伸部の厚さ／幅比は０．００１６以下である。
【００１１】
本考案の好適例において、前記自由端には複数のノッチが設けられ、前記ノッチは前記自由端の端面から前記延伸部に向けて切り込まれる。
【００１２】
本考案の好適例において、前記延伸部には複数の開口部が設けられ、前記開口部は前記用紙給送経路の幅方向に沿って並設される。
【００１３】
本考案の好適例において、前記固定端は前記スキャナーに固定されると共に前記スキャナーの外表面に密接する。
【００１４】
本考案の好適例において、前記延伸部の前記スキャナーに隣接する側に制振シートを更に備える。
【考案の効果】
【００１５】
本考案によれば、携帯型スキャナーへの応用に適し、且つ使用者が用紙の設置位置を自由に選択可能な用紙給送機構を提供することができる。
【図面の簡単な説明】
【００１６】
【図１Ａ】従来の用紙給送機構を示す外観斜視図である。
【図１Ｂ】従来の他の用紙給送機構を示す外観斜視図である。
【図１Ｃ】従来のさらなる他の用紙給送機構を示す外観斜視図である。
【図２Ａ】本考案の一実施形態の用紙給送機構を示す断面図である。
【図２Ｂ】本考案の一実施形態の用紙給送機構を示す分解図である。
【図３】本考案の用紙給送弾性片により原稿を送らせる概略図である。
【図４】本考案の用紙給送ローラーが歪む概略図である。
【図５】本考案の用紙給送弾性片の外力による変形の概略図である。
【図６】本考案の他の好ましい実施形態の用紙給送弾性片を示す斜視図である。
【図７】本考案のさらなる他の好ましい実施形態の用紙給送弾性片を示す外観斜視図である。
【考案を実施するための形態】
【００１７】
以下、本開示の実施形態について図面を用いて説明する。なお、本開示は、下記の実施形態に何ら限定されることはなく、本開示の技術的範囲に属する限り種々の形態を採りうる。
【００１８】
まず、図２Ａ、図２Ｂ及び図５に示されるように、本考案の用紙給送機構は、給紙端１１及び排紙端１２を有し、原稿１４の通過を案内するための用紙給送経路１０と、前記用紙給送経路１０の一側に設置され、前記用紙給送経路１０を通過する原稿１４をスキャンするためのスキャナー２０と、前記用紙給送経路１０に関して前記スキャナーと反対側に前記スキャナー２０に対向して設置され、用紙給送経路１０の幅を全てカバーする用紙給送ローラー１３と、用紙給送弾性片３０と、を備える。前記用紙給送弾性片３０は、前記スキャナー２０に固定される固定端３１と、前記用紙給送経路１０中に設置されると共に前記用紙給送ローラー１３に当接される自由端３２と、前記固定端３１と前記自由端３２との間を連結する延伸部３３と、を含み、前記用紙給送弾性片３０は用紙給送経路１０の幅を全てカバーする。
【００１９】
また、本考案の用紙給送機構は、用紙給送経路１０の幅を全てカバーする前記用紙給送ローラー１３及び前記用紙給送弾性片３０が相互に組み合わせられることで、使用者が原稿１４の給紙位置を任意に選択可能である。原稿１４の幅の違いによらず、前記用紙給送弾性片３０は前記原稿１４に対して垂直抗力を加えることができる。また、前記用紙給送弾性片３０の固定端３１は前記スキャナー２０に直接固定されると共に前記スキャナー２０の外表面に密接する。スキャナーの外ケースに受動ローラー４１を固定する構造を別途設置することが必要となっている従来の受動ローラー４１と比べると、本考案の用紙給送弾性片３０では全体に占める空間が効果的に減少する（図３参照）。
【００２０】
さらに、原稿１４が前記用紙給送弾性片３０により給送される際に発生する振動を減らすため、本好適例において、前記延伸部３３の前記スキャナー２０に隣接する側に制振シート３４を更に備える。前記制振シート３４は柔軟性のある制振材料で製造されると共に前記延伸部３３とスキャナー２０との間に狭装され、これにより前記用紙給送弾性片３０の振動が吸収及び緩衝され、原稿１４の給送の安定性も更に高まる（図２Ａ及び図２Ｂ参照）。
【００２１】
続いて、図４に示されるように、前記原稿１４が受ける給送力を安定的に持続させるためには、原稿１４の給送時に用紙給送ローラー１３が原稿１４に確実に貼り合わせられることを確保する必要があり、前記用紙給送ローラー１３と前記用紙給送弾性片３０との間にギャップ３５が存在すると給紙エラーが発生する。しかしながら、実務上、製造公差のために前記用紙給送ローラー１３または前記用紙給送弾性片３０の表面に不規則な湾曲が生じてしまい、原稿（図示省略）と前記用紙給送ローラー１３との間にギャップ３５が発生する。この場合、原稿（図示省略）の厚さが前記ギャップ３５より薄ければ、前記用紙給送弾性片３０が前記原稿（図示省略）にかける垂直抗力が不足してしまい、給送エラーが発生する。
【００２２】
上述のギャップ問題を解決させるため、本考案の前記用紙給送弾性片３０は用紙給送経路１０の高さ方向に可撓性を有し、前記延伸部３３が前記用紙給送ローラー１３の表面形状に倣って容易に変化する。図５に示されるように（本図面は実際の比率に従って描画するものではない）、前記用紙給送弾性片３０の変形距離Ｓが２ｍｍに等しい場合、その変形領域Ｄが２０ｍｍ以下に制限され、好ましいギャップ抑制能力を有する。この場合、前記延伸部３３が前記用紙給送ローラー１３の表面形状に倣って容易に変化し、前記用紙給送ローラー１３と前記用紙給送弾性片３０との間のギャップ３５が無くなる。
【００２３】
前記用紙給送弾性片３０の用紙給送経路１０の高さ方向に対する可撓性を高めるため、本図面に示される好ましい実施形態において、前記用紙給送弾性片３０の厚さＴ及び長さＬは幅Ｗに対して小さく設けられている。好適な範囲において、前記延伸部３３の幅Ｗが１２５ｍｍとして設けられる場合、前記延伸部３３の厚さＴは０．２ｍｍ以下として設けられ、前記延伸部３３の厚さＴと幅Ｗとの比（厚さ／幅）が０．００１６以下として設けられると、前記用紙給送弾性片３０は給送方向に平行なトルクに抵抗する力が小さくなる。
【００２４】
図６は他の好ましい実施形態を図示し、前記用紙給送弾性片３０が非均質化されることで用紙給送経路１０の高さ方向に沿った可撓性を向上する。本実施形態では、前記延伸部３３に複数の開口部３６が設けられ、前記開口部３６は用紙給送経路１０の幅方向に沿って並設される。この場合、前記延伸部３３は用紙給送経路１０の高さ方向に沿った強度が前記複数の開口部３６の影響によって低下し、可撓性が高まる。この設計により、前記延伸部３３が前記用紙給送ローラー１３の表面形状に倣って容易に変化し、前記用紙給送ローラー１３と前記用紙給送弾性片３０との間のギャップ３５が無くなる。
【００２５】
図７は他の好ましい実施形態を図示し、ノッチ３７が設置されることにより前記用紙給送弾性片３０の非均質化が達成される。本実施形態では、前記自由端３２には複数のノッチ３７が設けられ、前記ノッチ３７は前記自由端３２の端面から前記延伸部３３に向けて切り込まれ、前記延伸部３３が複数のサブ用紙給送弾性片３８に区分けされる。各サブ用紙給送弾性片３８の間は細長い連結部３９により連結される。前記連結部３９が外力を受けると、応力が集中するため大きな変形が生じ、可撓性が高まる。この設計により、前記延伸部３３が前記用紙給送ローラー１３の表面形状に倣って容易に変化し、前記用紙給送ローラー１３と前記用紙給送弾性片３０との間のギャップ３５が無くなる。
【００２６】
以上、本考案の実施形態について図面を参照して詳述したが、具体的な構成はこの実施形態に限られるものではなく、本考案の要旨を逸脱しない範囲の設計変更等も含まれる。
【符号の説明】
【００２７】
１０  用紙給送経路
１１  給紙端
１２  排紙端
１３  用紙給送ローラー
１４  原稿
２０  スキャナー
３０  用紙給送弾性片
３１  固定端
３２  自由端
３３  延伸部
３４  制振シート
３５  ギャップ
３６  開口部
３７  ノッチ
３８  サブ用紙給送弾性片
３９  連結部
４０  用紙給送ローラー
４１  受動ローラー
４２  案内部材
【図１Ａ】
0003221299.tif 000003
【図１Ｂ】
0003221299.tif 000004
【図１Ｃ】
0003221299.tif 000005
【図２Ａ】
0003221299.tif 000006
【図２Ｂ】
0003221299.tif 000007
【図３】
0003221299.tif 000008
【図４】
0003221299.tif 000009
【図５】
0003221299.tif 000010
【図６】
0003221299.tif 000011
【図７】
0003221299.tif 000012